(57)【要約】【課題】ディスクチェンジャー方式の光ディスク記録再生装置の予約録画において、予約録画時間に最適なディスクの組み合わせを自動的に計算してユーザーが選択できるようにする。【解決手段】記録予約の際に記録予約設定手段にて予め細部までの設定をユーザーが行うことが可能となり、最適なディスクおよび複数のディスクの組み合わせにて自動的に予約録画を実行できる。【選択図】  図１
2008034047.tif 000002
【特許請求の範囲】
【請求項１】
複数の光ディスクを載置できる複数のトレイと、前記トレイ上に前記複数の光ディスクのそれぞれが載置される際にそれぞれの光ディスクの空き容量情報を記憶する空き容量情報記憶手段と、記録予約の設定を行うための記録予約設定手段と、記録予約設定手段に基づいてトータル記録時間を算出する手段と、複数の記録実行サンプリングレートの中からサンプリングレートを選択する記録実行サンプリングレート設定手段を有するディスクチェンジャー方式のディスク記録再生装置において、
前記空き容量情報記憶手段は、前記空き容量とそれぞれのサンプリングレートに対応する空き時間の表または計算式として記憶することを特徴とし、前記記録実行サンプリングレート設定手段は前記トータル記録時間と前記空き時間の表示とを比較してディスクの１つまたは2つ以上の組み合わせを同時または順次表示し、ユーザーがそれらの1つを選択することを可能にすることを特徴とするディスク記録再生装置。
【請求項２】
複数の光ディスクを載置できる複数のトレイと、前記トレイ上に前記複数の光ディスクのそれぞれが載置される際にそれぞれの光ディスクの空き容量情報を記憶する空き容量情報記憶手段と、記録予約の設定を行うための記録予約設定手段と、記録予約設定手段に基づいてトータル記録時間を算出する手段と、複数の記録実行サンプリングレートの中からサンプリングレートを選択する記録実行サンプリングレート設定手段を有するディスクチェンジャー方式のディスク記録再生装置において、
前記空き容量情報記憶手段は、前記空き容量とそれぞれのサンプリングレートに対応する記録可能時間を算出するための計算式を記憶することを特徴とし、前記記録実行サンプリングレート設定手段は前記トータル記録時間と前記空き時間の計算式とを比較してディスクの１つまたは2つ以上の組み合わせを同時または順次表示し、ユーザーがそれらの1つを選択することを可能にすることを特徴とするディスク記録再生装置。
【請求項３】
前記トレイ上に前記複数の光ディスクのそれぞれが載置される際、初期化されていないディスクの場合は初期化と合わせてそれぞれの光ディスクの空き容量情報を記憶する請求項１または２に記載のディスク記録再生装置。
【請求項４】
前記記録予約設定手段は、前記記録予約のサンプリングレートを可変に設定するかしないかの設定を行うための可変サンプリングレート設定手段を有する請求項１または２に記載のディスク記録再生装置。
【請求項５】
前記記録予約設定手段は、前記複数の光ディスクの空き容量が前記トータル記録時間に対して不十分である場合に記録強制実行するかしないかの設定を行うための強制実行モード設定手段を有する請求項１または２に記載のディスク記録再生装置。
【発明の詳細な説明】
【技術分野】
【０００１】
本発明はディスクチェンジャーおよびディスク切替機能を有するディスク記録再生装置に関し、特に、ＤＶＤ（Ｄｉｇｉｔａｌ Ｖｅｒｓａｔｉｌｅ Ｄｉｓｋ）やＣＤ（Ｃｏｍｐａｃｔ Ｄｉｓｃ）など異なる種類のディスクを１つの収納庫内に複数枚収納し、何れかのディスクを選択して記録および再生する機能を有する光ディスク再生装置に関する。
【背景技術】
【０００２】
従来、データを記録するための記録媒体として、多種多様なメディアが提供されている。現在では、大容量のデータを記録することができる便利さが受けて、ＣＤやＤＶＤが広く普及している。また、ＤＶＤなどの光ディスクに対してテレビ番組などの情報を記録したり、光ディスクに記録された情報を再生したりする光ディスク装置が普及している。
光ディスク装置として、複数の光ディスクを載置可能なロータリートレイやマガジンを有し、記録および再生可能なチェンジャー部を有し、このチェンジャー部に載置され、指定された光ディスクに対して情報の記録および再生を行うディスクチェンジャー式の光ディスク装置も知られている。
ところで、このようなディスクチェンジャー式の光ディスク装置では、例えば、テレビ番組等を録画する場合、まず、最初に指定された光ディスクに対して録画が行われ、このディスク容量がフルになったとき、次に録画を引き継ぐ光ディスクにディスク交換しなければならないので、ロータリートレイを回転させて、次の光ディスクを記録および再生位置に設定して、次の光ディスクに対して録画を行うように構成されている。
特許文献１には、録画予約設定時にディスクドライブの空き領域容量を算出し、録画データ量、画質モードから録画の可否判定を行い、空き容量が録画データ量に対して不十分な場合には画質モードを低下させて録画出来るように調整を行う方法が開示されている。
特許文献２には、残時間指定データと録画最大時間を比較し、データが大きければ記録不可能であることのエラー表示を行い、小さければ可能な限りデータ量を大きくして録画を行う方法が開示されている。
特許文献３には、録画予約時間の時間情報とディスク空き容量を比較して容量不足であることと共に予約情報の一覧表示し、またDVDの空き容量をバー表示で表示する方法が開示されている。
【特許文献１】特開2002-271742
【特許文献２】特開2001-28732
【特許文献３】特再2002-28100
【発明の開示】
【発明が解決しようとする課題】
【０００３】
従来の技術では、録画予約時に録画モードを可変にする設定は出来るが、可変モードの最低品質モードで録画実行したとしても、予約画像データ量がDVDの空き容量に対してオーバーしてしまうことはあり、予約した番組がすべて取りきれないという問題があった。
また、前記のような場合に対処するにはディスクをユーザーが交換して再度録画実行させなければならず、ユーザーが録画が終了するまで録画機器の前にいなければ満足の行く録画がされないという問題があった。
本発明では、記録予約の際に記録予約設定手段にて予め細部までの設定をユーザーが行うことが可能となり、最適なディスクおよび複数のディスクの組み合わせにて自動的に予約録画を実行できる方法を提供する。
【課題を解決するための手段】
【０００４】
複数の光ディスクを載置できる複数のトレイと、前記トレイ上に前記複数の光ディスクのそれぞれが載置される際にそれぞれの光ディスクの空き容量情報を記憶する空き容量情報記憶手段と、記録予約の設定を行うための記録予約設定手段と、記録予約設定手段に基づいてトータル記録時間を算出する手段と、複数の記録実行サンプリングレートの中からサンプリングレートを選択する記録実行サンプリングレート設定手段を有するディスクチェンジャー方式のディスク記録再生装置において、
前記空き容量情報記憶手段は、前記空き容量とそれぞれのサンプリングレートに対応する空き時間の表または計算式として記憶することを特徴とし、前記記録実行サンプリングレート設定手段は前記トータル記録時間と前記空き時間の表示とを比較してディスクの１つまたは2つ以上の組み合わせを同時または順次表示し、ユーザーがそれらの1つを選択することを可能にする。
複数の光ディスクを載置できる複数のトレイと、前記トレイ上に前記複数の光ディスクのそれぞれが載置される際にそれぞれの光ディスクの空き容量情報を記憶する空き容量情報記憶手段と、記録予約の設定を行うための記録予約設定手段と、記録予約設定手段に基づいてトータル記録時間を算出する手段と、複数の記録実行サンプリングレートの中からサンプリングレートを選択する記録実行サンプリングレート設定手段を有するディスクチェンジャー方式のディスク記録再生装置において、
前記空き容量情報記憶手段は、前記空き容量とそれぞれのサンプリングレートに対応する記録可能時間を算出するための計算式を記憶することを特徴とし、前記記録実行サンプリングレート設定手段は前記トータル記録時間と前記空き時間の計算式とを比較してディスクの１つまたは2つ以上の組み合わせを同時または順次表示し、ユーザーがそれらの1つを選択することを可能にすることを特徴とする。
前記ディスク記録再生装置であって、前記トレイ上に前記複数の光ディスクのそれぞれが載置される際、初期化されていないディスクの場合は初期化と合わせてそれぞれの光ディスクの空き容量情報を記憶する。
前記ディスク記録再生装置であって、前記記録予約設定手段は、前記記録予約のサンプリングレートを可変に設定するかしないかの設定を行うための可変サンプリングレート設定手段を有する。
前記ディスク記録再生装置であって、前記記録予約設定手段は、前記複数の光ディスクの空き容量が前記トータル記録時間に対して不十分である場合に記録強制実行するかしないかの設定を行うための強制実行モード設定手段を有する。
【発明の効果】
【０００５】
請求項１による発明によれば、記録予約設定手段により予約したい番組を予約すれば、各サンプリングレートに対する各ディスクの記録可能時間を表示し、かつ予約対象となっている番組の録画時間に最も近い空き容量ディスクを１枚、もしくは１枚以上の組み合わせの表示を行い、さらにユーザーが前記組み合わせを選択することが出来る。
請求項２による発明によれば、記録予約設定手段により予約したい番組を予約すれば、各サンプリングレートに対する各ディスクの記録可能時間を表示し、かつ予約対象となっている番組の録画時間に最も近い空き容量ディスクを１枚、もしくは１枚以上の組み合わせを計算して表示を行い、さらにユーザーが前記組み合わせを選択することが出来る。
請求項３による発明によれば、トレイに初期化されていないディスクが載置された場合には、空き容量情報を記憶する前に前記初期化されていないディスクを初期化することが出来る。
請求項４による発明によれば、サンプリングレートを可変に設定する事により、サンプリングレートを自動的に設定して、ディスクの空き容量に予約対象番組が記録できるようにすることが出来る。
請求項５による発明によれば、前記複数の光ディスクの空き容量が前記トータル記録時間に対して不十分である場合に記録強制実行するかしないかの設定を行うための強制実行モード設定手段を有することにより、予約対象番組が最後まで録画できない場合でも録画を実行したいユーザーの希望を設定することが出来る。
【発明を実施する為の最良の形態】
【０００６】
以下、添付図面を参照しつつ、本発明の実施の形態について説明する。
【実施例】
【０００７】
図1は本発明の一実施形態に係る光ディスク装置の構成を示すブロック図である。
図1を参照してディスク再生についての動作を信号の流れで説明する。ユーザーからリモコン１５によって再生コマンドが送られ、中央演算処理装置１６から光ピックアップ７に読み取りの指示が出される。DVDディスク６から光ピックアップ７により映像及び音声信号が読み出され、それぞれ映像コーデック８および音声コーデック９に送られる。次に映像コーデック８から映像信号処理部１０に信号が送られ輝度や色処理がなされてアナログ映像出力部１２に送られる。一方音声信号は、音声コーデック９から音声信号処理部１１に送られ、アナログ音声出力部１３およびデジタル音声出力部１４それぞれに送られる。
ディスク記録についての動作を信号の流れで説明する。ユーザーからリモコン１５によってチャンネル選局コマンドが中央処理装置１６に送られ、中央処理装置１６からの指示によりチューナー１８が前記チャンネル選局コマンドにより指定されたチャンネルに同調し、リモコン１５から記録コマンドが送られると、中央処理装置１６の録画開始手段１６ｅからの指示によりチューナー１７からの映像及び音声信号がそれぞれ信号処理部３の映像信号処理部１０と音声信号処理部１１に送られる。信号処理部３で処理された映像信号と音声信号はエンコード/デコード部のそれぞれ映像コーデック８および音声コーデック９に送られる。ここでコーデックとはエンコードとデコード両方の機能を備えたICブロックのことである。従って記録の場合には符号化が必要であるので、映像信号と音声信号は共にエンコードされ、エンコードされた映像信号および音声信号が光ピックアップ７に送られDVDディスク６に書き込まれる。
予約録画について、予約録画設定から予約録画実行までの動作を信号の流れで説明する。リモコン１５により予約録画設定を行う為のコマンドが中央処理装置に送られ、予約録画設定表示が、図示されないディスク記録再生装置の表示部、もしくは前記ディスク記録再生装置に接続された表示装置に映し出される。前記表示には、前記予約録画の設定項目である日付、開始時刻、終了時刻、チャンネル、録画モードが表示され、前記各項目に対するリモコン１５からのコマンドを中央処理装置１６が受け取り、前記各項目に対して入力されたぞれぞれのデータがメモリー１８に記録され、ディスク記録再生装置の電源がオフされると、予約録画待機状態となる。
予約録画待機状態であっても、中央処理装置１６には電源が供給されており、中央処理装置１６は常に予約録画開始時刻をサーチしている。予約録画開始時刻になると中央処理装置１６によりディスク記録再生装置が電源オンされて、メモリー１８から読み出されたチャンネルナンバーに同調するように中央処理装置１６によりチューナー１７が制御され、録画開始手段１６ｅからの指示によりチューナー１７からの映像及び音声信号がそれぞれ信号処理部３の映像信号処理部１０と音声信号処理部１１に送られる。信号処理部３で処理された映像信号と音声信号はエンコード/デコード部のそれぞれ映像コーデック８および音声コーデック９に送られる。ここでコーデックとはエンコードとデコード両方の機能を備えたICブロックのことである。従って記録の場合には符号化が必要であるので、映像信号と音声信号は共にエンコードされ、エンコードされた映像信号および音声信号が光ピックアップ７に送られDVDディスク６に書き込まれる。中央処理部１６は録画終了時刻を常にサーチしており、録画終了時刻が来ると録画を停止してディスク記録再生装置の電源をオフにする。
図２は本実施形態の録画予約を行うための入力画面を示す。本日の日付３１、現在時刻３２、現在設定されている録画モード３３が画面上部に表示される。録画モードとは、画質の品質のことを意味しており、通常６段階に区分され、品質の高い順に、ＸＰ、ＳＰ、ＬＰ、ＥＰ、ＳＬＰ、ＳＥＰと決められている。
次に画面中央の一覧表を説明する。予約数３４は録画予約がいくつ入力されているかを表す。実行３５は予約録画を実行するかを表し、「入」で実行することを表示している。日付３６は予約録画を実行する日を表し、開始３７および終了３８はそれぞれ録画予約の開始時刻および終了時刻を表す。ＣＨ３９は予約録画を実行するチャンネル、モード４０は録画実行する際の録画モードを表す。可変モード４１は、録画予約を行うディスクの空き容量が少ない場合に可変モードを「入」に設定しておけば録画モードを落として空き容量に入るように調整する機能である。強制実行４２は、録画予約が１枚のディスクに入りきらない場合でも録画を実行するかしないかを設定する。可変モード４１、強制実行４２については後に詳細を説明する。
図３は本実施形態のディスク空き容量情報表示画面を示す。この一覧表は、サンプリングレート４３のそれぞれに対する各トレイ上４４〜４８に載置されたディスクの空き容量を時間で表している。一覧表の上部に、予約番号４９の予約対象番組の録画時間５０を示している。この図では、録画時間が１２０分であり、サンプリングレート４３のそれぞれに対する空き容量に対して、最も空き容量が近いトレイ、もしくはトレイの組み合わせをハイライト表示して、好みに合わせてユーザーが前記ハイライトの中からサンプリングレートを選択することが出来る。また前記ディスクの組み合わせが存在するサンプリングレートも同様にハイライトを行い、ディスクの組み合わせが存在しないサンプリングレートはハイライトを行わない。本実施形態の場合、背景色を他と変えることによってハイライトしている。背景色を変えることはハイライトの一例であって、ハイライトしたい文字を太くする、ハイライトしたい箇所以外をハーフトーンにする、など、ユーザーに知らしめるための手段もしくは方法であれば本発明に適用可能である。
図４は本実施形態のロータリートレイディスクチェンジャー式の光ディスク装置における光ディスク記録再生部に備えられるディスクドライブ部の構成を示すブロック図である。このディスクドライブ部は円周方向に例えば５個の光ディスクを載置できるディスク載置部を有するロータリートレイ２０と、このロータリートレイ３０のディスク載置部に載置された光ディスクが記録および再生位置にある光ディスク６をモータ軸１９ａを介して回転させるスピンドルモータ１８と、光ディスク６の記録面に対してレーザー光を光学レンズ７ａを介して照射すると共に、光ディスク６の記録面からの反射光を光学レンズ７ａを介して受光することにより、光ディスク６への情報の書き込みおよび読み出しを光学的に行う光ピックアップ７と、この光ピックアップ７が固定され光ピックアップ７を光ディスク６の半径方向に移動させるためのスレッド２１ａと、このスレッド２６を駆動させるためのステッピングモーター２１とを備えている。
光ディスク６はスピンドルモータ１８によって回転制御される一方、ステッピングモーター２１の制御により、スレッド２１ａが移動し、これに伴って光ピックアップ７が移動することで、光ディスク6上の書き込み位置もしくは読み出し位置がほぼ決定される。更に、光ピックアップ７内部の制御機能により細やかな位置制御が行われる。記録時および再生時には、光ディスク６からの反射光が、光学レンズ７ａを通じて入射され、光ピックアップ７で読み取られて電気信号に変換され、前記電気信号は、デコード部２にて復号された後、信号処理部３に入力され輝度や色の強度処理などが行われて出力部４に送られる。システム制御部５は光ピックアップ７で得られる電気信号強度が最適となるように光ピックアップを制御するようにフィードバック制御をかけるようになっている。
図５は本実施形態においてディスクチェンジャートレイの簡略化した平面図である。図３において、トレイ２０の上側には、光ディスクが載置されて設定される５個のディスク載置部３１〜３５が円周方向に一定間隔を置いて配置されたカルーセル型のロータリートレイ３０が配置されている。トレイ２０は、装置本体の前面に対して前後方向に移動し、それに従って、ロータリートレイ３０も前後方向に移動する。
図６は本実施形態における録画予約設定を説明するためのフローチャートである。このフローチャートおよび図１〜図４を参照して複数の光ディスクへの録画処理について説明する。
ロータリートレイ３０においてディスク載置部３１〜３５に５枚の記録可能な光ディスクが載置出来るように、ユーザーがリモコン１５の図示しないトレイ開閉キーを操作して、ロータリートレイ３０上のディスク載置部３１〜３５のうち２つの載置部が装置前面に出るようにトレイ２０を前面方向に移動させ、ロータリートレイ３０を少しずつ回転させて、ディスク載置部３１〜３５に５枚の光ディスクを載置する。そして５枚の光ディスクのディスク載置部３１〜３５への載置が完了してから、リモコン１５のトレイ開閉キーを操作することにより、トレイ２０がスライドして光ディスク記録再生装置内部に入る。
トレイ２０が光ディスク記録再生装置内部に入り込むと、そのトレイの位置で記録再生可能な位置にある光ディスク３１がフォーマットされているかどうかを判別する（ステップＳ５０１）。ここでフォーマットとは、ディスクを記録再生するために必要な処理であり、ノートに罫線を書き込んで文字を記入できるように準備するのと同じように、ディスクにデータを書き込みための準備作業のことである．
前記光ディスクがフォーマット済みであれば、ディスクの空き容量情報をメモリー１８に記録する（ステップＳ５０３）。一方前記光ディスクがフォーマット済みでなければ、フォーマットを行う（ステップＳ５０２）。
次にシステム制御部５のメモリー１８は、光ディスク記録再生部１を制御して、図示しないトレイモータを駆動させる事により、ロータリートレイ３０を回転させて、ディスク載置部３２、３３、３４、３５にそれぞれ載置されている各光ディスクを記録及び再生位置に順次設定して、各ディスクの空き容量情報をメモリー１８に記憶する（ステップＳ５０３）。
この後、記録予約設定手段１６ａは、リモコン１５によって図２の実行３５、予約日付３６、開始時刻３７、終了時刻３８、チャンネル３９、モード４０、可変モード４１、強制実行４２、各設定項目が入力される（ステップＳ５０４）。この後、ディスク判別手段１６ｂが、開始時刻３７と終了時刻３８によって録画時間を算出し、更にモード４０によって必要となる空き容量を算出し、１枚に入りきるディスクが存在するかどうかを、メモリー１８に格納されている各ディスクの空き容量情報から判別する（ステップＳ５０５）。
前記ステップＳ５０５でディスクがある場合には中央処理装置１６がロータリートレイ３０を回転させてそのディスクが記録可能な位置になるように制御して（ステップＳ５１１）記録開始時刻まで待機する。
前記ステップＳ５０５にて１枚に入りきるディスクが無いと判断された場合には、中央処理部１６が、ステップＳ５０４で入力された可変モード４１が可変に設定されているかをメモリー１８から読み出して判別する（ステップＳ５０６）。モードとは、画質の品質のことを意味しており、通常６段階に区分され、品質の高い順に、ＸＰ、ＳＰ、ＬＰ、ＥＰ、ＳＬＰ、ＳＥＰと決められている。ステップＳ５０４にてモードの６段階のうちの一つをユーザーが選択すればそのモードで録画を実行する。一方可変モードはディスクの空き容量に合わせて、中央処理装置１６がモードを変更する（ステップＳ５０７）。
ステップＳ５０６にて可変モードに設定されていないと判断されると、中央処理部１６は、ステップＳ５０４にて入力された強制実行４２の設定をメモリー１８から読み込み、強制実行モード判別手段１６ｃによって、強制実行モードがオンかオフかの判別をする（ステップＳ５２２）。ここで強制実行モードとは、予約番組時間が１枚、もしくは１枚以上のディスクの組み合わせに入りきらなくとも録画を実行するかどうかを設定するモードであり、例えばユーザーが番組の前半のみでも録画したい場合に設定される。
ステップＳ５２２で強制実行モードが設定されていないと判別されると、エンド状態に移行する。
次に図６を参照して録画予約設定が終わってからの録画実行を図５の処理Ａから続けて説明する。中央処理装置１６は録画予約待機中、ステップＳ５０４で入力された録画開始時刻３７をサーチし続け（ステップＳ６０１）、録画開始時刻３７が来れば録画開始手段１６ｅによって録画開始される（ステップＳ６０２）。そして中央処理装置１６は、録画しているディスクの空き容量がゼロ（ディスクがフル状態）になるのを監視する（ステップＳ６０３）。
ステップＳ６０３にてディスクの空き容量がゼロと判断されると、メモリー１８に格納されている各ディスクの空き容量情報を再度読み込んで空き容量のあるディスクをサーチし、ロータリートレイ２０を回転させて前記空き容量のあるディスクを記録位置に配置して記録対象ディスクを交換し（ステップＳ６０５）、録画開始手段１６ｅによって録画開始（ステップＳ６０６）する。前記ステップＳ６０４にて交換ディスクが無い（空き容量のあるディスクが無い）と判断された場合にはエンド状態に移行する。
以上説明したように本実施形態によれば、録画予約する場合に、前記の各設定を録画予約初期設定手段１６ａにて設定する事により、予約録画時間に最適なディスクの組み合わせを自動的に計算してユーザーにしらしめ、選択できるようにする。さらにはユーザーの希望する様々なモード、画像の品位を設定する録画モードや、ディスクを組み合わせても予約番組が最後まで記録できない場合でも録画を実行するかを設定する強制実行モードを設ける。
なお、本実施形態では回転式ロータリートレイ式またはカルーセル式を記載したが、本発明はこれに限らずマガジン式などの複数のディスクを載値可能なディスク記録再生装置であれば実施可能である。
【図面の簡単な説明】
【０００８】
【図１】本発明の一実施形態に係るディスクチェンジャー式の光ディスク装置の構成を示すブロック図である。
【図２】本発明の一実施形態に係る録画予約設定画面を示す。
【図３】本発明の一実施形態に係る空き容量一覧表示画面を表す。
【図４】本発明の一実施形態に係るロータリートレイタイプディスクチェンジャー式の光ディスク装置における光ディスク記録再生部に備えられるディスクドライブ部の構成を示すブロック図である。
【図５】本発明の一実施形態に係るロータリートレイタイプディスクチェンジャー式のトレイ構造を簡略化した平面図である。
【図６】本発明の一実施形態に係る複数の光ディスクへの録画予約設定を説明するためのフローチャートである。
【図７】本発明の一実施形態に係る録画予約設定後の録画予約実行を説明するためのフローチャートである。
【符号の説明】
【０００９】
６  DVDディスク
７  光ピックアップ
８  映像コーデック
９  音声コーデック
１０  映像信号処理部
１１  音声信号処理部
１２  アナログ映像出力部
１３  アナログ音声出力部
１４  デジタル音声出力部
１５  リモコン
１６  中央処理装置
１６ａ  録画予約初期設定手段
１６ｂ  ディスク判別手段
１６ｃ  強制実行モード判別手段
１６ｄ  録画開始手段
１６ｅ  録画実行サンプリングレート設定手段
１７  チューナー
１８  メモリー（空き容量情報記憶手段）
２０  トレイ
３０  ロータリートレイ
３１〜３５  ディスク載置部
【図１】
2008034047.tif 000003
【図２】
2008034047.tif 000004
【図３】
2008034047.tif 000005
【図４】
2008034047.tif 000006
【図５】
2008034047.tif 000007
【図６】
2008034047.tif 000008
【図７】
2008034047.tif 000009